(57)【特許請求の範囲】
【請求項１】
複数のドライブ線及び前記複数のドライブ線に垂直な複数の走査線の交差位置に各々配置されかつ各々がその交差位置の走査線及びドライブ線間に接続された複数の容量性発光素子からなる容量性発光パネルを備え、前記複数の走査線の各々は異なる第１又は第２電位のいずれか一方に接続自在であるとともに、前記複数のドライブ線の各々は前記第１及び第２電位の低い方の電位又は駆動源のいずれか一方に接続自在である容量性発光素子ディスプレイ装置の駆動方法であって、
前記複数の走査線は線順次に選択され、前記複数の走査線の各々が選択されている期間は、その走査線が前記第１又は第２電位のいずれか低い方の電位へ接続される走査期間と前記容量性発光素子の全てがリセットされるリセット期間とからなり、前記走査期間に同期して、選択されたドライブ線を駆動源へ接続して容量性発光素子を発光せしめると同時に、選択されていない走査線を前記第１又は第２電位の高い方の電位へ接続し、前記第１又は第２電位の高い方の電位を前記容量性発光パネルの明るさに応じて調整可能としたことを特徴とする駆動方法。
【請求項２】
前記容量性発光パネルの明るさを明るくする時は前記第１又は第２電位の高い方の電位をより高く設定し、前記容量性発光パネルの明るさを暗くする時は前記第１又は第２電位の高い方の電位をより低く設定することを特徴とする請求項１記載の駆動方法。
【請求項３】
前記第１又は第２電位の高い方の電位は、フィールド期間毎に調整可能とされ、一のフィールド期間内においては一定電位を維持することを特徴とする請求項１又は２記載の駆動方法。
【請求項４】
前記駆動源は定電流源であることを特徴とする請求項１〜３のいずれか１記載の駆動方法。
【請求項５】
前記第１又は第２電位の高い方の電位は、前記素子の発光規定電圧から発光閾値電圧を差し引いた電位よりも大なる範囲で調整され、前記第１又は第２電位の低い方の電位はアース電位であることを特徴とする請求項４に記載の駆動方法。
【請求項６】
前記駆動源は可変電流源であることを特徴とする請求項１〜３のいずれか１記載の駆動方法。
【請求項７】
前記第１又は第２電位のいずれか高い方の電位は、発光素子の定常発光状態における電位に相当する発光規定電位と略等しい電位となるように調整され、前記第１又は第２電位の低い方の電位は、アース電位であることを特徴とする請求項１〜６のいずれか１記載の駆動方法。
【請求項８】
前記リセット期間においては、前記ドライブ線と前記走査線の電位を同電位にすることを特徴とする請求項１〜７のいずれか１記載の駆動方法。
【請求項９】
前記走査期間において、前記駆動源に接続される前記選択されたドライブ線を除く他のドライブ線は、前記第１又は第２電位の低い方に接続されることを特徴とする請求項１〜８のいずれか１記載の駆動方法。
【請求項１０】
前記容量性発光素子は有機エレクトロルミネッセンス素子であることを特徴とする請求項１〜９のいずれか１記載の駆動方法。
【請求項１１】
前記第１又は第２電位の高い方の電位は、外部制御信号に基づいて制御されることを特徴とする請求項１記載の駆動方法。
【請求項１２】
複数のドライブ線及び前記複数のドライブ線に垂直な複数の走査線の交差位置に各々配置されかつ各々がその交差位置の走査線及びドライブ線間に接続された複数の容量性発光素子からなる容量性発光パネルと、前記複数の走査線の各々を異なる第１又は第２電位のいずれか一方に接続自在とする走査スイッチ手段と、前記複数のドライブ線の各々を前記第１及び第２電位の低い方の電位又は駆動源のいずれか一方に接続自在とする駆動スイッチ手段と、前記駆動スイッチ手段及び前記走査スイッチ手段を制御する発光制御手段と、からなる容量性発光素子ディスプレイ装置であって、
前記発光制御手段は、前記走査スイッチ手段によって前記複数の走査線を線順次に選択し、前記複数の走査線の各々が選択されている期間は、前記第１又は第２電位の低い方へ接続する走査期間と前記容量性発光素子の全てをリセットするリセット期間とからなり、前記走査期間に同期して前記駆動スイッチ手段により選択的にドライブ線を駆動源へ接続させて、選択された容量性発光素子を発光せしめると同時に、選択されていない走査線を前記第１又は第２電位の高い方へ接続し、
前記発光制御手段は更に前記第１又は第２電位の高い方の電位を前記容量性発光パネルの明るさに応じて調整する調整手段を有することを特徴とする容量性発光素子ディスプレイ装置。
【請求項１３】
前記調整手段は、前記容量性発光パネルの明るさを明るくする時は前記第１又は第２電位の高い方の電位をより高く設定し、前記容量性発光パネルの明るさを暗くする時は前記第１又は第２電位の高い方の電位をより低く設定することを特徴とする請求項１２記載の容量性発光素子ディスプレイ装置。
【請求項１４】
前記調整手段は、前記第１又は第２電位の高い方の電位をフィールド期間毎に調整し、且つ、一のフィールド期間内においては一定電位に維持させることを特徴とする請求項１２又は１３のいずれか１記載の容量性発光素子ディスプレイ装置。
【請求項１５】
前記駆動源は定電流源であることを特徴とする請求項１２〜１４のいずれか１記載の容量性発光素子ディスプレイ装置。
【請求項１６】
前記第１又は第２電位の高い方の電位は、前記調整手段によって、前記素子の発光規定電圧から発光閾値電圧を差し引いた電位よりも大なる範囲で調整され、前記第１又は第２電位の低い方の電位はアース電位であることを特徴とする請求項１５に記載の容量性発光素子ディスプレイ装置。
【請求項１７】
前記駆動源は可変電流源であることを特徴とする請求項１２〜１４のいずれか１記載の容量性発光素子ディスプレイ装置。
【請求項１８】
前記第１又は第２電位の高い方の電位は、前記調整手段によって、発光素子の定常発光状態における電位に相当する発光規定電位と略等しい電位となるように調整され、前記第１又は第２電位の低い方の電位はアース電位であることを特徴とする請求項１２〜１７のいずれか１記載の容量性発光素子ディスプレイ装置。
【請求項１９】
前記発光制御手段は、前記リセット期間において、前記ドライブ線と前記走査線の電位を同電位にすることを特徴とする請求項１２〜１８のいずれか１記載の容量性発光素子ディスプレイ装置。
【請求項２０】
前記発光制御手段は前記走査期間において、前記駆動源に接続される前記選択されたドライブ線を除く他のドライブ線を前記第１又は第２電位の低い方に接続させることを特徴とする請求項１２〜１９のいずれか１記載の容量性発光素子ディスプレイ装置。
【請求項２１】
前記容量性発光素子は有機エレクトロルミネッセンス素子であることを特徴とする請求項１２〜２０のいずれか１記載の容量性発光素子ディスプレイ装置。
【請求項２２】
前記調整手段は、前記第１又は第２電位の高い方の電位を外部制御信号に基づいて制御することを特徴とする請求項１２記載の容量性発光素子ディスプレイ装置。
【発明の詳細な説明】
【０００１】
【発明の属する技術分野】
本発明は、画像表示パネルの駆動方法及び駆動装置に関し、特に有機エレクトロルミネセンス素子等の容量性発光素子ディスプレイの駆動方法及び駆動装置に関する。
【０００２】
【従来の技術】
低消費電力及び高表示品質並びに薄型化が可能なディスプレイとして、有機エレクトロルミネッセンス素子の複数をマトリクス状に配列して構成されるエレクトロルミネッセンスディスプレイが注目されている。該有機エレクトロルミネッセンス素子は、図１に示すように、透明電極１０１が形成されたガラス板などの透明基板１００上に、電子輸送層、発光層、正孔輸送層などからなる少なくとも１層の有機機能層１０２、及び金属電極１０３が積層されたものである。透明電極１０１の陽極にプラス、金属電極１０３の陰極にマイナスの電圧を加え、すなわち、透明電極及び金属電極間に直流を印加することにより、有機機能層１０２が発光する。良好な発光特性を期待することのできる有機化合物を有機機能層に使用することによって、エレクトロルミネッセンスディスプレイが実用に耐えうるものになっている。
【０００３】
有機エレクトロルミネッセンス素子（以下、単に素子ともいう）は、電気的には、図２のような等価回路にて表すことができる。図から分かるように、素子は、容量成分Ｃと、該容量成分に並列に結合するダイオード特性の成分Ｅとによる構成に置き換えることができる。よって、有機エレクトロルミネッセンス素子は、容量性の発光素子であると考えられる。有機エレクトロルミネッセンス素子は、直流の発光駆動電圧が電極間に印加されると、電荷が容量成分Ｃに蓄積され、続いて当該素子固有の障壁電圧または発光閾値電圧を越えると、電極（ダイオード成分Ｅの陽極側）から発光層を担う有機機能層に電流が流れ初め、この電流に比例した強度で発光する。
【０００４】
かかる素子の電圧Ｖ−電流Ｉ−輝度Ｌの特性は、図３に示すように、ダイオードの特性に類似しており、発光閾値Ｖth以下の電圧では電流Ｉはきわめて小さく、発光閾値Ｖth以上の電圧になると電流Ｉは急激に増加する。また、電流Ｉと輝度Ｌはほぼ比例する。このような素子は、発光閾値Ｖthを超える駆動電圧を素子に印加すれば当該駆動電圧に応じた電流に比例した発光輝度を呈し、印加される駆動電圧が発光閾値Ｖth以下であれば駆動電流が流れず発光輝度もゼロに等しいままである。
【０００５】
かかる有機エレクトロルミネッセンス素子の複数を用いた表示パネルの駆動方法としては、単純マトリクス駆動方式が適用可能である。図４に単純マトリクス表示パネルの一例の構造を示す。n個の陰極線（金属電極）Ｂ1 〜Ｂnを横方向に、m個の陽極線（透明電極）Ａ1 〜Ａmを縦方向に平行に伸長して設けられ、各々の交差した部分（計n×m個）に有機エレクトロルミネッセンス素子Ｅ1,1 〜Ｅm,n の発光層を挟む。画素を担う素子Ｅ1,1 〜Ｅm,n は、格子状に配列され、垂直方向に沿う陽極線Ａ1 〜Ａm と水平方向に沿う陰極線Ｂ1 〜Ｂn との交差位置に対応して一端（上記の等価回路のダイオード成分Ｅの陽極線側）が陽極線に、他端（上記の等価回路のダイオード成分Ｅの陰極線側）が陰極線に接続される。陰極線は陰極線走査回路１に接続されて駆動、陽極線は陽極線ドライブ回路２に接続されてそれぞれ駆動される。
【０００６】
陰極線走査回路１は、各陰極線の電位を個々に定める陰極線Ｂ1 〜Ｂnに対応する走査スイッチ５1 〜５nを有し、個々が、電源電圧からなる逆バイアス電圧ＶCC （例えば１０Ｖ）及びアース電位（０Ｖ）のうちのいずれか一方を、対応する陰極線に接続する。
陽極線ドライブ回路２は、各陽極線を通じて駆動電流を素子個々に供給する陽極線Ａ1 〜Ａmに対応した電流源２1 〜２m（例えば定電流源）及びドライブスイッチ６1 〜６mを有し、ドライブスイッチが電流を個々に陽極線に流すオンオフ制御するように構成される。駆動源は定電圧源等の電圧源を用いることも可能であるが、上述した電流−輝度特性が温度変化に対して安定しているのに対し電圧−輝度特性が温度変化に対して不安定であること、等の理由により、電流源（供給電流量が所望の値となるように制御される電源回路）を用いるのが一般的である。電流源２1〜２mの供給電流量は、素子が所望の瞬時輝度で発光する状態（以下、この状態を定常発光状態と称する。）を維持するために必要な電流量とされる。また、素子が定常発光状態にある時は、上述した素子の容量成分Ｃには供給電流量に応じた電荷が充電されているため、素子の両端電圧は瞬時輝度に対応した規定値Ｖｅ（以下、これを発光規定電圧と称する。）となる。
【０００７】
陽極線はまた、陽極線リセット回路３に接続される。この陽極線リセット回路３は、陽極線毎に設けられたシャントスイッチ７1 〜７m を有し、該シャントスイッチが選択されることによって陽極線をアース電位に設定する。
陰極線走査回路１、陽極線ドライブ回路２及び陽極線リセット回路３は発光制御回路４に接続される。
【０００８】
発光制御回路４は、図示せぬ画像データ発生系から供給された画像データに応じて当該画像データが担う画像を表示させるべく陰極線走査回路１、陽極線ドライブ回路２及び陽極線リセット回路３を制御する。発光制御回路４は、陰極線走査回路１に対して、走査線選択制御信号を発生し、画像データの水平走査期間に対応する陰極線のいずれかを選択してアース電位に設定し、その他の陰極線は逆バイアス電圧ＶCCが印加されるように走査スイッチ５1 〜５n を切り換える制御を行う。逆バイアス電圧ＶCCは、ドライブされている陽極線と走査選択がされていない陰極線との交点に接続された素子がクロストーク発光することを防止するために、陰極線に接続される定電圧源によって印加されるものであり、逆バイアス電圧ＶCC＝発光規定電圧Ｖｅと設定されるのが一般的である。走査スイッチ５1 〜５n が水平走査期間毎に順次アース電位に切り換えられるので、アース電位に設定された陰極線は、その陰極線に接続された素子を発光可能とする走査線として機能することとなる。
【０００９】
陽極線ドライブ回路２は、かかる走査線に対して発光制御を行う。発光制御回路４は、画像データが示す画素情報に従って当該走査線に接続されている素子のどれをどのタイミングでどの程度の時間に亘って発光させるかについてを示すドライブ制御信号（駆動パルス）を発生し、陽極線ドライブ回路２に供給する。陽極線ドライブ回路２は、このドライブ制御信号に応じて、ドライブスイッチ６1 〜６m のいくつかをオンオフ制御し、陽極線Ａ1 〜Ａm を通じて画素情報に応じた該当素子への駆動電流の供給をなす。これにより、駆動電流の供給された素子は、当該画素情報に応じた発光をなすこととなる。
【００１０】
陽極線リセット回路３のリセット動作は、発光制御回路４からのリセット制御信号に応じて行われる。陽極線リセット回路３は、リセット制御信号が示すリセット対象の陽極線に対応するシャントスイッチ７1 〜７m のいずれかをオンしそれ以外はオフとする。
本願と同一の出願人による特開平９−２３２０７４号公報には、単純マトリクス表示パネルにおける、走査線を切り換える直前に格子状に配された各素子の蓄積電荷を放出させるリセット動作を行う駆動法（以下、リセット駆動法と呼ぶ）が開示されている。このリセット駆動法は、走査線を切り換えた際の素子の発光立上りを早めるものである。この単純マトリクス表示パネルのリセット駆動法について図４〜図６を参照して説明する。
【００１１】
なお、以下に述べる図４〜図６に示す動作は、陰極線Ｂ1 を走査して素子Ｅ1,1及びＥ2,1を光らせた後、陰極線Ｂ2 に走査を移して素子Ｅ2,2 及びＥ3,2 を光らせる場合を例に挙げたものである。また、説明を分かり易くするために、光っている素子はダイオード記号にて示され、光っていない発光素子はコンデンサ記号にて示される。また、陰極線Ｂ1 〜Ｂn に印加される逆バイアス電圧ＶCC は、素子の発光規定電圧Ｖｅと同じ１０Ｖとされている。
【００１２】
先ず、図４においては、走査スイッチ５1のみが０Ｖのアース電位側に切り換えられ、陰極線Ｂ1 が走査されている。他の陰極線Ｂ2 〜Ｂn には、走査スイッチ５2 〜５n により逆バイアス電圧ＶCCが印加されている。同時に、陽極線Ａ1 及びＡ2 には、ドライブスイッチ６1 及び６2 によって電流源２1 及び２2 が接続されている。また、他の陽極線Ａ3 〜Ａm には、シャントスイッチ７3 〜７m によって０Ｖのアース電位側に切り換えらている。したがって、図４の場合、素子Ｅ1,1 とＥ2,1 のみが順方向にバイアスされ、電流源２1 及び２2 から矢印のように駆動電流が流れ込み、素子Ｅ1,1 及びＥ2,1 のみが発光することとなる。この状態においては、非発光のハッチングして示される素子Ｅ3,2〜Ｅm,nは、それぞれ図示の如き極性に充電されることとなる。
【００１３】
この図４の定常発光状態から、次の素子Ｅ2,2 及びＥ3,2 の発光をなす状態に走査を移行する直前に、以下のようなリセット制御が行われる。すなわち、図５に示すように全てのドライブスイッチ６1 〜６m を開放するとともに、全ての走査スイッチ５1 〜５n と全てのシャントスイッチ７1 〜７m を０Ｖのアース電位側に切り換え、陽極線Ａ1 〜Ａm と陰極線Ｂ1 〜Ｂn の全てを一旦０Ｖのアース電位側にシャントし、オールリセットを掛ける。このオールリセットが行われると、陽極線と陰極線の全てが０Ｖの同電位となるので、各素子に充電されていた電荷は図中の矢印で示すようなルートを通って放電し、全ての素子の充電電荷が瞬時のうちに無くなる。
【００１４】
このようにして全ての素子の充電電荷をゼロにした後、今度は図６に示すように、陰極線Ｂ2 に対応する走査スイッチ５2 のみを０Ｖ側に切り換え、陰極線Ｂ2 の走査を行う。これと同時に、ドライブスイッチ６2 及び６3 を閉じて電流源２2 及び２3 を対応の陽極線に接続せしめるとともに、シャントスイッチ７1 ，７4 〜７m をオンとし、陽極線Ａ1 ，Ａ4 〜Ａm に０Ｖを与える。
【００１５】
このように、上記リセット駆動法の発光制御は、陰極線Ｂ1 〜Ｂn のうちのいずれかをアクティブにする期間である走査モードと、これに後続するリセットモードとの繰り返しである。かかる走査モードとリセットモードは、画像データの１水平走査期間（１Ｈ）毎に行われる。仮にリセット制御をせずに、図４の状態から図６の状態に直接移行したとすると、例えば、電流源２3から供給される駆動電流は、素子Ｅ3,2に流れ込むだけではなく、素子Ｅ3,3〜Ｅ3,nに充電された逆方向電荷（図４に図示）のキャンセルにも費やされるため、素子Ｅ3,2を定常発光状態にする（素子Ｅ3,2の両端電圧を発光規定電圧Ｖｅにする）には時間を要することとなる。
【００１６】
しかし、上述したリセット制御を行うと、陰極線Ｂ2の走査に切り換わった瞬間において、陽極線Ａ2及びＡ3の電位は約ＶCCとなるため、次に発光させるべき素子Ｅ2,2及びＥ3,2には、電流源２2及び２3だけではなく陰極線Ｂ1、Ｂ3〜Ｂnに接続された定電圧源からの複数のルートからも充電電流が流れ込み、この充電電流によって寄生容量が充電されて発光規定電圧Ｖｅまで瞬時に達し定常発光状態に瞬時に移行できる。その後、陰極線Ｂ2の走査期間内においては上述したように電流源から供給される電流量は素子が発光規定電圧Ｖｅでの定常発光状態を維持できるだけの電流量とされているので、電流源２2及び２3から供給される電流は素子Ｅ2,2及びＥ3,2のみに流れ込み、すべてが発光に費やされる。すなわち図６に示される発光状態を持続する。
【００１７】
以上述べたように、従来のリセット駆動法によれば、次の走査線の発光制御に移行する前に、陰極線と陽極線の全てが一旦アース電位である０Ｖ又は逆バイアス電圧ＶCC 電位の同電位に接続されてリセットされるので、次の走査線に切り換えられた際に、発光規定電圧Ｖｅまでの充電を速くし、切り換えられた走査線上の発光すべき素子の発光の立上りを早くすることができる。
【００１８】
また、図４〜図６に示す動作における陰極線及び陽極線の電圧レベルをタイミングチャートで示すと図７となる。第１走査期間においては陰極線Ｂ1と陽極線Ａ1，Ａ2の交点上の素子は、その両端電圧が陽極線電圧レベルＶAA（図４〜図６においてはＶｅと等しい）となってこの陽極線電圧レベルＶAAに対応した輝度で発光し、第２走査期間においては陰極線Ｂ2と陽極線Ａ2，Ａ3の交点上の素子は、その両端電圧が陽極線電圧レベルＶAA（図４〜図６においてはＶｅと等しい）となってこの陽極線電圧レベルＶAAに対応した輝度で発光する。
【００１９】
尚、上述した従来のリセット駆動法を用いる発光ディスプレイにおいて、輝度調整を行う場合は、マトリクスディスプレイの一般的な輝度調整の方法を適用して行っている。すなわち、図７（ａ）に示すように、発光時の素子の両端電圧レベルを一定値（すなわち、素子の瞬時輝度一定、駆動電流一定）として、走査期間の範囲で陽極線への駆動源の接続時間を変化させることにより、各素子の発光輝度を調整する方法（パルス幅変調方法）と、図７（ｂ）に示すように、陽極線への駆動源の持続時間を走査期間に対応させて一定とし、駆動源によって素子の両端電圧レベルを走査期間毎に変化させる（駆動電流レベルを変化させる）ことで、各素子の発光輝度を制御する方法（パルスレベル変調方法）、の２つの方法である。図７（ａ）に示す方法の場合は、素子の瞬時輝度が一定であることから、駆動源は常に一定電流を供給する定電流源とされており、図７（ｂ）に示す方法の場合は、素子の瞬時輝度が走査期間内で一定、且つ走査期間毎に変化可能なように、駆動源は可変電流源とされている。これらの方法により輝度の再現がなされている。
【００２０】
【発明が解決しようとする課題】
しかし、かかるリセット駆動法を実行する単純マトリクス表示パネルにおいて、素子の輝度調整を行う場合、次の様な問題がある。図７（ａ）の場合は、階調の重み付けが駆動時間の長短によってのみなされるため、調整可能な範囲が限られてしまい、広範囲における多階調再現が難しい。また、図７（ｂ）の場合は、走査期間毎に発光時の両端電圧レベルを正確に調整することが難しく、その結果、輝度階調のリニアリティが悪化するという欠点がある。これは、陽極線をドライブする駆動源として電流源（所定の電流量を供給すべく制御される駆動源）を用いることと、リセットを経て走査期間に移行した瞬間における素子の両端電圧レベルが、一義的に逆バイアス電圧ＶCCと略等しくなること、を原因とする。従って、図７（ｂ）のように、走査期間毎に素子の両端電圧レベルを変化させて輝度調整を行う場合は、素子の両端電圧は図示するような理想的な状態にはならず、よって所望の輝度レベルを正確に再現できない。
【００２１】
図８は、図７（ｂ）に示した輝度調整方法を行った場合の実際の両端電圧レベルを示したものであり、図４〜図６に示した従来のリセット駆動法を実行する単純マトリクス表示パネルにおいて、図７（ｂ）に示す輝度調整方法を行ったものである。なお、上述したように素子の輝度レベルＬは両端電圧レベルに対応した値となる。図８においては、第ｊ走査期間は標準輝度での発光、第ｊ＋１走査期間は最大輝度での発光、第ｊ＋２走査期間は最小輝度での発光をそれぞれ行っており、各走査期間において所望の瞬時輝度に対応した素子の両端電圧レベルは、第ｊ走査期間ではＶｅ0、第ｊ＋１走査期間ではＶｅmax、第ｊ＋２走査期間ではＶｅminである。なお、ここで、標準輝度発光する場合の両端電圧レベルＶｅ0と逆バイアス電圧ＶCCとは等しく設定されており、陽極線ドライブ回路２の電流源２1〜２mは走査期間毎に供給電流量を変化させる可変電流源（供給電流量を所望の値に調整可能に制御される電流源）とされている。
【００２２】
図示されるように、リセット期間を経て第ｊ走査期間に移行すると、発光されるべき素子が接続された陽極線の電位レベルは瞬時に逆バイアス電圧ＶCCとほぼ等しい電位となるので、第ｊ走査期間に移行した瞬間から素子の両端電圧レベルは約Ｖｅ0となり所望の瞬時輝度で発光する。その後、可変電流源からは標準輝度の発光に費やされるだけの一定電流量が供給されるので、素子は一定輝度での発光を継続し、両端電圧レベルはＶｅ0を維持する。
【００２３】
次に、リセット期間を経て第ｊ＋１走査期間に移行した瞬間においては、陽極線の電位レベルは、第ｊ走査期間の場合と同様にＶCCとなるので、素子の両端電圧レベルは所望の値であるＶｅmaxには至らず、素子の瞬時輝度は所望の値よりも低くなる。その後は、可変電流源から供給される電流がドライブ線に接続される複数の素子の寄生容量に分散して流れ込み充電されることで、ドライブ線の電位が上昇し、それに伴って発光すべき素子の両端電圧もＶｅmaxに向けて上昇する。ところが、可変電流源から供給される電流量は、第ｊ＋１走査期間においては発光する素子の瞬時輝度に対応する一定電流量となっているので、これがドライブ線のすべての素子の寄生容量に流れ込むとすると、ドライブ線の電位の上昇はなだらかとなり、発光すべき素子の両端電圧も図示されるようになだらかに上昇する。そして、ドライブ線の電位がＶｅmaxになったところで素子の両端電圧は安定する。この結果、第ｊ＋１走査期間においては、所望の輝度に対して斜線部Ｘに相当する分の輝度が不足し、所望の輝度を再現できないこととなる。
【００２４】
次に、リセット期間を経て第ｊ＋２走査期間に移行した瞬間においては、陽極線の電位レベルは、第ｊ走査期間の場合と同様にＶCCとなるので、素子の両端電圧レベルは所望の値であるＶｅminより大きくなり、素子の瞬時輝度は所望の値よりも高くなる。その後は、可変電流源から供給される電流量は第ｊ走査の場合よりも少ないため、発光する素子に対しては、可変電流源から供給される電流とともに選択されていない走査線側からも電流が流れ込もうとする。これにより、選択されていない走査線上の素子には、逆バイアス電圧源によって逆方向の電荷が徐々に充電されるので、ドライブ線の電位はなだらかに下降し、発光すべき素子の両端電圧も図示されるようになだらかに下降する。そして、ドライブ線の電位がＶｅminになったところで素子の両端電圧は安定する。この結果、第ｊ＋２走査期間においては、所望の輝度に対して斜線部Ｘに相当する分の輝度が不足し、所望の輝度が再現できないこととなる。
【００２５】
本発明は、上述した点に鑑みてなされたものであり、その目的は、輝度の調整範囲を広げたり、または、リニアリティの良い輝度調整を可能とする容量性発光素子ディスプレイ装置を提供することにある。
【００２６】
【課題を解決するための手段】
本発明の方法は、ドライブ線及び走査線の複数の交差位置に配置されかつ前記走査線及び前記ドライブ線間に接続された複数の容量性発光素子と、前記走査線を異なる第１又は第２電位のいずれか一方に接続自在とするとともに、前記ドライブ線を前記第１及び第２電位の低い方の電位又は駆動源のいずれか一方に接続自在とし、選択された前記走査線が前記第１又は第２電位のいずれか低い方の電位へ接続される走査期間に同期して、選択された前記ドライブ線を駆動源へ接続して容量性発光素子を発光せしめると同時に、選択されていない前記走査線を前記第１又は第２電位の低い方の電位へ接続する容量性発光素子ディスプレイ装置の駆動方法であって、
前記第１又は第２電位の高い方の電位を調整可能としたことを特徴とする。
【００２７】
上記容量性発光素子ディスプレイ装置の駆動方法において、前記走査期間の間に、前記容量性発光素子のすべてをリセットするリセット期間を設けたことを特徴とする。
上記容量性発光素子ディスプレイ装置の駆動方法において、前記第１又は第２電位の高い方の電位は、フィールド期間毎に調整可能とされ、一のフィールド期間内においては一定電位を維持することを特徴とする。
【００２８】
上記容量性発光素子ディスプレイ装置の駆動方法において、前記駆動源は定電流源であることを特徴とする。
上記容量性発光素子ディスプレイ装置の駆動方法において、前記第１又は第２電位の高い方の電位は、前記素子の発光規定電圧から発光閾値電圧を差し引いた電位よりも大なる範囲で調整され、前記第１又は第２電位の低い方の電位はアース電位であることを特徴とする。
【００２９】
上記容量性発光素子ディスプレイ装置の駆動方法において、前記駆動源は可変電流源であることを特徴とする。
上記容量性発光素子ディスプレイ装置の駆動方法において、前記第１又は第２電位のいずれか高い方の電位は、発光素子の発光規定電圧と略等しい電位となるように調整され、前記第１又は第２電位の低い方の電位は、アース電位であることを特徴とする。
【００３０】
上記容量性発光素子ディスプレイ装置の駆動方法において、前記リセット期間においては、前記ドライブ線と前記走査線の電位を同電位にすることを特徴とする。
上記容量性発光素子ディスプレイ装置の駆動方法において、前記走査期間において、前記駆動源に接続される前記選択されたドライブ線を除く他のドライブ線は、前記第１又は第２電位の低い方に接続されることを特徴とする。
【００３１】
上記容量性発光素子ディスプレイ装置の駆動方法において、前記容量性発光素子は有機エレクトロルミネッセンス素子であることを特徴とする。
本発明の容量性発光素子ディスプレイ装置においては、ドライブ線及び走査線の複数の交差位置に配置されかつ前記走査線及びドライブ線間に接続された複数の容量性発光素子と、前記走査線を異なる第１又は第２電位のいずれか一方に接続自在とする走査スイッチ手段と、前記ドライブ線を前記第１及び第２電位の低い方の電位又は駆動源のいずれか一方に接続自在とする駆動スイッチ手段と、前記駆動スイッチ手段及び前記走査スイッチ手段を制御する発光制御手段と、からなり、前記発光制御手段は、前記走査スイッチ手段が選択された前記走査線を前記第１又は第２電位の低い方へ接続する走査期間に同期して前記駆動スイッチ手段により選択的に前記ドライブ線を駆動源へ接続させて、選択された容量性発光素子を発光せしめると同時に、選択されていない前記走査線を前記第１又は第２電位の高い方へ接続する容量性発光素子ディスプレイ装置であって、
前記第１又は第２電位の高い方の電位を調整する調整手段を有することを特徴とする。
【００３２】
上記容量性発光素子ディスプレイ装置において、前記発光制御手段は、前記走査期間の間に、前記容量性発光素子のすべてをリセットする期間を画定することを特徴とする。
上記容量性発光素子ディスプレイ装置において、前記調整手段は、前記第１又は第２電位の高い方の電位をフィールド期間毎に調整し、且つ、一のフィールド期間内においては一定電位に維持させることを特徴とする。
【００３３】
上記容量性発光素子ディスプレイ装置において、前記駆動源は定電流源であることを特徴とする。
上記容量性発光素子ディスプレイ装置において、前記第１又は第２電位の高い方の電位は、前記調整手段によって、前記素子の発光規定電圧から発光閾値電圧を差し引いた電位よりも大なる範囲で調整され、前記第１又は第２電位の低い方の電位はアース電位であることを特徴とする。
【００３４】
上記容量性発光素子ディスプレイ装置において、前記駆動源は可変電流源であることを特徴とする。
上記容量性発光素子ディスプレイ装置において、前記第１又は第２電位の高い方の電位は、前記調整手段によって、発光素子の発光規定電圧と略等しい電位となるように調整され、前記第１又は第２電位の低い方の電位はアース電位であることを特徴とする。
【００３５】
上記容量性発光素子ディスプレイ装置において、前記発光制御手段は、前記リセット期間において、前記ドライブ線と前記走査線の電位を同電位にすることを特徴とする。
上記容量性発光素子ディスプレイ装置において、前記発光制御手段は前記走査期間において、前記駆動源に接続される前記選択されたドライブ線を除く他のドライブ線を前記第１又は第２電位の低い方に接続させることを特徴とする。
【００３６】
上記容量性発光素子ディスプレイ装置において、前記容量性発光素子は有機エレクトロルミネッセンス素子であることを特徴とする。
【００３７】
【発明の実施の形態】
以下、本発明の実施の形態を図面に基づいて詳細に説明する。
図９は、容量性発光素子の有機エレクトロルミネッセンス素子を用いた本発明の一実施例によるディスプレイ装置の概略的な構成を示す。ディスプレイ装置は、容量性発光パネル１２０と発光制御部４０とを有する。
【００３８】
発光パネル１２０は、走査線を異なる電位例えばアース電位及び逆バイアス電位のいずれか一方に接続自在とする走査スイッチ手段である陰極線走査回路１と、ドライブ線をアース電位及び逆バイアス電位の少なくとも一方又は駆動源に接続自在とする駆動スイッチ手段である陽極線ドライブ回路２と、逆バイアス電位の大きさを調整する逆バイアス調整回路３０と、を含む。発光パネル１２０において、図４〜図６に示したものと同様に、複数の有機エレクトロルミネッセンス素子Ｅi,j（１≦ｉ≦m，１≦ｊ≦n）は、ドライブ線の陽極線Ａ1 〜Ａm及び走査線の陰極線Ｂ1 〜Ｂnの複数の交差位置にマトリクス状に配置されかつ走査線及びドライブ線間に接続されている。すなわち、有機エレクトロルミネッセンス素子は、略平行に伸長した複数のドライブ線及び各々がドライブ線に略垂直で略平行に伸長した複数の走査線の各交差位置に配置されかつ走査線及びドライブ線に接続されている。
【００３９】
図９に示すように、陰極線走査回路１は、陰極線Ｂ1 〜Ｂnに対応する走査スイッチ５1 〜５nを有し、個々が、電源電圧からなる逆バイアス電圧ＶCC 及びアース電位のうちのいずれか一方を、対応する陰極線に接続する。陽極線ドライブ回路２は、陽極線Ａ1 〜Ａmに対応した電流源２1 〜２m及びアース電位のいずれか一方に切り替えるドライブスイッチ６1 〜６mを有し、ドライブスイッチが電流を個々に陽極線に流すようにオンオフ制御する。
【００４０】
陰極線Ｂ1 〜Ｂn は、走査スイッチにより、水平走査期間毎に順次アース電位に切り換えられ、それ以外は逆バイアス電圧ＶCCに切り換えられる、いわゆる線順次走査に従った切換制御が行われる。また、線順次走査の代わりに、陰極線走査回路１はインターレース走査で制御されてもよい。なお、選択されていない素子が誤発光しないように、ＶCCはＶｅ−Ｖthより大きく選ばなければならない。陽極線ドライブ回路２のドライブスイッチを介して陽極線Ａ1 〜Ａmに画像データが供給される。従って、陰極線はこれに接続された素子を発光可能とする走査線として、陽極線はこれに接続された素子を発光させるドライブ線として、それぞれ機能する。
【００４１】
発光制御部４０は陰極線走査回路１及び陽極線ドライブ回路２に接続され、これらを制御する発光制御手段である。発光制御部４０は、陰極線走査回路１がいずれかの走査線をアース電位へ周期的に接続する走査期間に同期して陽極線ドライブ回路２が選択的にドライブ線を駆動源へ接続して、選択された素子を発光せしめる。
【００４２】
発光制御部４０内において、同期分離回路４１は、供給された入力ビデオ信号中から水平及び垂直同期信号を抽出してこれらをタイミングパルス発生回路４２に供給する。タイミングパルス発生回路４２は、これら抽出された水平及び垂直同期信号に基づいた同期信号タイミングパルスを発生してこれをＡ／Ｄ変換器４３、制御回路４５及び走査タイミング信号発生回路４７の各々に供給する。Ａ／Ｄ変換器４３は、上記同期信号タイミングパルスに同期して入力ビデオ信号を１画素毎に対応したディジタル画素データに変換し、これをメモリ４４に供給する。制御回路４５は、後述する駆動方法に基づいて逆バイアス電位制御信号を逆バイアス調整回路３０に供給するとともに、上記同期信号タイミングパルスに同期した書込信号及び読出信号をメモリ４４に供給する。メモリ４４は、書込信号に応じて、Ａ／Ｄ変換器４３から供給された各画素データを順次取り込む。また、メモリ４４は、読出信号に応じて、このメモリ４４内に記憶されている画素データを順次読み出して次段の出力処理回路４６へ供給する。走査タイミング信号発生回路４７は、走査スイッチ及びドライブスイッチを制御するための各種タイミング信号を発生してこれらを陰極線走査回路１及び出力処理回路４６の各々に供給する。出力処理回路４６は、走査タイミング信号発生回路４７からのタイミング信号に同期させて、メモリ４４から供給された画素データを陽極線ドライブ回路２に供給する。制御回路４５は、出力処理回路４６を介して画素データから、クシ型フィルタや輝度レベル制御回路などを経て輝度信号を生成し、陽極線ドライブ回路２の駆動源に供給する。また、制御回路４５は、ユーザによる手動調整又は外部フォトセンサの出力に応じた電気信号をも外部信号線４５ａから受付け、該信号に応じても逆バイアス電位制御信号を設定する。
【００４３】
図１０に、発光パネル１２０の要部を示す。逆バイアス電位の大きさを調整する逆バイアス調整回路３０は全体として可変電圧電源であり、異なる電位の複数の定電圧源１ＶCC 〜ｎＶCCにそれぞれスイッチＳＷ１ 〜ＳＷｎを介して接続された加算部３１を含む。スイッチＳＷ１ 〜ＳＷｎは制御回路４５からの逆バイアス電位制御信号に応じて、選択的にオンオフ制御される。加算部３１は陰極線走査回路１のバスラインを介して走査スイッチの逆バイアス電圧ＶCC端子に接続されている。加算部３１はその加算された定電圧源の選択された合計出力を逆バイアスとして陰極線走査回路１へ出力する。スイッチＳＷ１ 〜ＳＷｎにより選択された幾つかの定電圧源１ＶCC 〜ｎＶCCの合計の逆バイアス電圧ＶCC は、走査線の陰極線Ｂ1 〜Ｂnの全走査すなわち画像フレームごとに基準輝度が定められた値のレベルとして設定される。このように、逆バイアス調整回路３０は、制御回路４５から信号に応じて逆バイアス電位レベルを設定する。なお、図１１においては、ドライブ線及び走査線並びに対応スイッチは本来複数あるが、簡略化するためにドライブ線Ａi及び走査線Ｂjに関するものを代表して示してある。
【００４４】
発光制御回路４０における容量性発光パネルの駆動方法を、図１１に基づいて説明する。
まず、制御回路４５はメモリ４４に１フィールドを示す垂直（V）同期パルスが到来したか否かを判断する（ステップ１）。
次に、制御回路４５は今回の１フィールド分の画像データをメモリ４４から取り込み記憶する（ステップ２）。
【００４５】
次に、制御回路４５は前回に記憶した１フィールド分の画像データと今回分との輝度信号レベルを比較して、同一発光輝度か否か判断する（ステップ３）。
次に、同一発光輝度であれば、前回の輝度レベル値を維持して前回ｊと同一の逆バイアス電位制御信号を逆バイアス調整回路３０に供給するとともに、制御回路４５は今回の１フィールド分の画像データをメモリ４４へ返し、出力処理回路４６を介して、陽極線ドライブ回路２のドライブスイッチによりドライブ線を駆動する。（ステップ４）。
【００４６】
一方、制御回路４５がステップ３において同一発光輝度でないと判断されれば、今回分に応じて輝度レベル値を更新して、更新した輝度レベル値に基づいた逆バイアス電位制御信号を逆バイアス調整回路３０に供給するとともに、制御回路４５は今回の１フィールド分の画像データをメモリ４４へ返し、出力処理回路４６を介して、陽極線ドライブ回路２のドライブスイッチによりドライブ線を駆動する（ステップ５）。
【００４７】
次に、以上のモードの終了後、陰極線走査回路１は、今回１フィールド期間内にわたって、上記逆バイアス電位制御信号に応じた逆バイアス電圧ＶCCを走査対象でない陰極線Ｂ1〜Ｂnに対して付与する。また、陽極線ドライブ回路２は、今回１フィールド期間内にわたって、画素データに応じた駆動電流を各１水平走査期間毎に順次供給する（ステップ６）。
【００４８】
なお、駆動電流は輝度信号に応じた電流とされており、パルス幅変調方法の場合は、一定電流量が輝度に応じた時間だけ供給され、パルスレベル変調方法の場合は、走査期間毎に輝度に応じて決まる所定電流量が一定時間供給される。
また、逆バイアス電圧ＶCCは１フィールド毎に切り換えるのではなく、１水平期間毎に切り換えるようにしても良い。
【００４９】
さらに、上記実施例では、陰極線を横方向に、陽極線を縦方向に設けたが、陽極線を横方向に、陰極線を縦方向に設けてもよい。また、横方向に設けた電極で走査し、縦方向に設けた電極で輝度を制御したが、縦方向に設けた電極で走査し、横方向に設けた電極で輝度を制御してもよい。ただし、陽極線で走査する場合は、陽極線・陰極線の駆動電源は上記の説明とは逆極性とする。
【００５０】
次に、図９、図１０に示した容量性発光パネル駆動装置を図１１に示した駆動方法で駆動した場合の、実際の輝度レベルの変化を示す実施例について説明する。
図１２は、パルス幅変調方法により駆動する場合を示しており、陽極線Ａｘに連なって接続される３つの素子が、標準輝度で発光する第ｊ走査、最大輝度で発光する第ｊ＋１走査、最小輝度で発光する第ｊ＋２走査にわたって連続発光する場合を示している。なお、各走査期間の間には上述したリセット期間が存在する。図１２（ａ）は、駆動電流波形を示しており、電流レベルが一定値Ｉ0で且つ輝度に対応して時間幅の異なる駆動電流パルスが付与されている。すなわち、図示されるように、駆動電流のパルス幅は、最大輝度のとき最大値Ｔmax、標準輝度のとき基準値Ｔ0、最小輝度のとき最小値Ｔminとなる。図１２（ｂ）は、走査対象以外の陰極線Ｂに付与される逆バイアス電圧レベルの波形を示しており、逆バイアス電圧レベルは、走査期間毎に輝度に対応した電圧レベルが付与され、最大輝度のとき最大値ＶCCmax、標準輝度のとき基準値ＶCC0、最小輝度のとき最小値ＶCCminが付与される。
【００５１】
図１２（ｃ）は、素子の両端電圧レベルの波形（輝度レベルの波形）を示している。なお、素子は、駆動電流Ｉ0が供給されて定常状態で発光するときの両端電圧がＶｅ0となり、逆バイアス電圧の基準値ＶCC0はＶｅ0とほぼ等しく設定される。
第ｊ走査期間においては、走査対象でない陰極線Ｂ1〜Ｂj-1，Ｂj+1〜Ｂnに付与される逆バイアス電圧はＶCC0であるので、リセット期間から第ｊ走査期間に切り換わった瞬間において、ドライブされる陽極線Ａの電位は約ＶCC0となるから素子の両端電圧もＶｅ0（＝ＶCC0）となる。その後は、素子に駆動電流Ｉ0が供給され続けるので、素子の両端電圧は第ｊ走査期間にわたってＶｅ0を維持する。よって、素子の輝度レベルはＶｅ0に対応した一定レベルとなる。
【００５２】
第ｊ＋１走査期間においては、走査対象でない陰極線Ｂ1〜Ｂj、Ｂj+2〜Ｂnに付与される逆バイアス電圧はＶCCmaxであるので、リセット期間から第ｊ走査期間に切り替わった瞬間において、ドライブされる陽極線Ａの電位は約ＶCCmaxとなり、よって素子の両端電圧はＶｅmaxとなる。その後は、素子に駆動電流Ｉ0が供給され続けるので、図１２（ｃ）のＸに示すように素子の両端電圧はＶｅ0に近づくように減少する。素子の輝度レベルはこの両端電圧の変化に対応したレベルとなるから、逆バイアス電圧として基準値ＶCCが付与される場合と比べると、図の斜線部Ｘの面積に対応するだけ輝度が増加する。
【００５３】
第ｊ＋２走査期間においては、走査対象でない陰極線Ｂ1〜Ｂj＋１、Ｂj+3〜Ｂnに付与される逆アイス電圧はＶCCminであるので、リセット期間から第ｊ走査期間に切り換わった瞬間において、ドライブされる陽極線Ａの電位は約ＶCCminとなり、よって素子の両端電圧はＶｅminとなる。その後は、素子に駆動電流Ｉ0が供給され続けるので、図１２（ｃ）のＹに示すように素子の両端電圧はＶｅ0に近づくように増加する。素子の輝度レベルはこの両端電圧の変化に対応したレベルとなるから、逆バイアス電圧として基準値ＶCCが付与される場合と比べると、図の斜線部Ｙの面積に対応するだけ輝度が減少する。
【００５４】
以上説明したとおり、本実施例によれば、リセット駆動法によって駆動される容量性発光素子ディスプレイ装置において、パルス幅変調方法による輝度調整を行う場合に、走査対象外の陰極線に付与される逆バイアス電圧を、駆動電流パルスは幅の大小に対応させて増減させるようにしたので、常に一定の逆バイアス電圧が付与される場合と比べて、輝度調整範囲を広くすることができ、より実用的な容量性発光ディスプレイ装置を実現することができる。
【００５５】
図１３は、パルスレベル変調方法により駆動する場合を示しており、陽極線Ａｘに連なって接続される３つの素子が、標準輝度で発光する第ｊ走査、最大輝度で発光する第ｊ＋１走査、最小輝度で発光する第ｊ＋２走査にわたって連続発光する場合を示している。なお、各走査期間の間には上述したリセット期間が存在する。図１３（ａ）は駆動電流波形を示しており、同一パルス幅で且つ輝度に対応してレベルの異なる駆動電流パルスが付与される。図示されるように電流レベルは、最大輝度のとき最大値Ｉmax、標準輝度のとき基準値Ｉ0、最小輝のとき最小値Ｉminが付与される。図１３（ｂ）は、走査対象以外の陰極線Ｂに付与される逆バイアス電圧レベルの波形を示しており、逆バイアス電圧レベルは、走査期間毎に輝度に対応した電圧レベルが付与され、最大輝度のとき最大値ＶCCmax、標準輝度のとき基準値ＶCC0最小輝度のとき最小値ＶCCminが付与される。図１３（ｃ）は素子の、両端電圧レベルの波形（輝度レベルの波形）を示している。なお、図１２の場合と同様に、素子は、駆動電流Ｉ0が供給されて定常状態で発光するときの両端電圧はＶｅ0（＝ＶCC0）であり、さらに、駆動電流Ｉmaxが供給されて定常状態で発光するときの両端電圧はＶｅmaxとなり、駆動電流Ｉminが供給されて定常状態で発光するときは両端電圧がＶｅminとなる。すなわち、駆動電流レベルに応じて発光規定電圧が変化する。また、逆バイアス電圧レベルＶCCmaxはＶｅmaxと略等しく設定され、ＶCCminはＶｅminと略等しく設定される。
【００５６】
第ｊ走査期間においては、駆動電流がＩ0であり、走査対象でない陰極線Ｂ1〜Ｂj-1、Ｂj+1〜Ｂnに付与される逆バイアス電圧はＶCC0であるので、リセット期間から第ｊ走査期間に切り換わった瞬間において、ドライブされる陽極線Ａの電位は約ＶCC0となることで素子の両端電圧もＶｅ0（＝ＶCC0）となる。その後は、素子に駆動電流Ｉ0が供給され続けるので、素子の両端電圧は第ｊ走査期間にわたってＶｅ0を維持する。よって、素子の輝度レベルは第ｊ走査期間にわたってＶｅ0に対応した一定レベルとなる。
【００５７】
第ｊ＋１走査期間においては、駆動電流がＩmaxに増加するが、走査対象でない陰極線Ｂ1〜Ｂj、Ｂj+2〜Ｂnに付与される逆バイアス電圧もＶCCmaxに増加する。よって、リセット期間から第ｊ走査期間に切り換わった瞬間においては、ドライブされる陽極線Ａの電位が約ＶCCmaxとなることで素子の両端電圧はＶｅmaxとなる。その後は、素子に駆動電流Ｉmaxが供給され続けるので、素子の両端電圧は第ｊ＋１走査期間にわたってＶｅmaxを維持する。よって、素子の輝度レベルをＶｅmaxに対応した一定レベルとすることができる。
【００５８】
第ｊ＋２走査期間においては、駆動電流がＩminに減少するが、走査対象でない陰極線Ｂ1〜Ｂj+1、Ｂj+3〜Ｂnに付与される逆バイアス電圧もＶCCminに減少する。よって、リセット期間から第ｊ走査期間に切り換わった瞬間においては、ドライブされる陽極線Ａの電位は約ＶCCminとなることで素子の両端電圧はＶｅminとなる。その後は、素子に駆動電流Ｉminが供給され続けるので、素子の両端電圧は第ｊ＋２走査期間にわたってＶｅminを維持する。よって、素子の輝度レベルを第ｊ＋２走査期間にわたってＶｅminに対応した一定レベルとすることができる。
【００５９】
このように、逆バイアス電圧として基準値ＶCCが付与される場合と比べると、図の斜線部面積に対応するだけ輝度が増加する。
以上説明したとおり、本実施例によれば、リセット駆動法によって駆動される容量性発光素子ディスプレイ装置において、パルスレベル変調方法による輝度調整を行う場合に、走査対象外の陰極線に付与される逆バイアス電圧を、パルスレベルの大小に対応させて増減させるようにしたので、常に一定の逆バイアス電圧が付与される場合と比べると、常に走査期間内における輝度レベルを一定レベルに近づけて維持することができ、階調のリニアリティに優れた容量性発光ディスプレイ装置を実現することができる。
【００６０】
なお、本実施例においては、最大輝度の際の逆バイアス電圧ＶCCmaxをＶｅmaxとほぼ等しく設定し、最小輝度の際の逆バイアス電圧ＶCCminをＶｅminとほぼ等しく設定することで、階調のリニアリティが最も正確となる場合を示したが、この場合に限られるものではなく、単に逆バイアス電圧のレベルを駆動電流のパルスレベルの大小に対応させて増減させるだけでも、従来の逆バイアス電圧が一定値であるものに比べて、階調のリニアリティを向上させることができる。
【００６１】
図１４は、上述したバルス幅変調方法とパルスレベル変調を併用して輝度階調を表現する場合を示すものである。図示されるように、最大輝度で発光させる場合は、駆動電流レベルをＩmaxにするとともにパルス幅をＴmaxとし、最小輝度で発光させる場合は、駆動電流レベルをＩminにするとともにパルス幅をＴminとする。この実施例によれば、電流レベル及びパルス幅のいずれをも調整可能とするので、パルス幅変調方法単独またはパルスレベル変調単独の場合よりも細かな階調変化の再現が可能となり、多階調の表現を可能とすることができる。
【００６２】
なお、本実施例においては、制御手段４５が、輝度データに基づいて電流レベル及びパルス幅の２変調を決定するため、輝度データに応じて一義的に電流レベルとパルス幅が導きだせるようにテーブル方式での制御を行うことが好ましい。以上、本発明の好適な実施例の形態について説明したが、これに限られることなく適用が可能である。
【００６３】
まず、上述した本実施形態においては、リセット駆動法を用いる場合についてのみ説明したが、リセット期間を設けない従来の単独マトリクス駆動法においても適用することが可能である。
上述したように、従来の単独マトリクス駆動方法を行なうと、素子に充電された逆方向電荷のために、走査期間の開始から定常発光状態に至るまでに時間を要するが、このとき輝度の調整を図７（ｂ）に示したパルスレベル変調方法で行なうと、輝度階調に応じて定常発光状態における発光規定電圧が変化することから、走査期間の開始から定常発光状態に至るまでに時間にバラツキが生じ、その結果、階調のリニアリティが悪化してしまう。しかし、図１３に示したように、パルスレベルの大小に対応させて逆バイアス電圧を増加させると走査期間の開始から定常発光状態に至るまでの時間のバラツキを少なくすることができるので、階調のリニアリティ精度を良好にすることができる。
【００６４】
また、上述した本実施形態においては、リセット期間において電位を陽極線Ａと陰極線Ｂをアース電位に接続させるようしたが、陽極線Ａと陰極線Ｂを略同一電位に接続すればアース電位に限られることはなく、また、素子の両端電圧が発光閾値電圧を越えない範囲で、且つ、素子の逆方向電荷を減少させることができれば陽極線Ａと陰極線Ｂに多少の電位差があっても良い。
【００６５】
【発明の効果】
以上詳述したように、本発明によれば、ドライブ線及び走査線の複数の交差位置に配置され且つ前記走査線及びドライブ線間に接続された複数の容量性発光素子と、前記走査線を異なる第１又は第２電位のいずれか一方に接続自在とするとともに、前記ドライブ線を前記第１及び第２電位の低い方の電位又は駆動源のいずれか一方に接続自在とし、選択された前記走査線が前記第１又は第２電位の何れか低い方の電位へ接続される走査期間に同期して、選択された前記ドライブ線を駆動源へ接続して容量性発光素子を発光せしめると同時に、選択されていない前記走査線を前記第１又は第２電位の低い方の電位へ接続する、ように駆動させる容量性発光素子ディスプレイ装置に関して、前記第１又は第２電位の高い方の電位を調整可能としたので、従来に比べて、パネル輝度の調整範囲の拡大、または、階調のリニアリティの向上、等の優れた効果を有する容量性発光デイスプレイ装置を提供できる。
【図面の簡単な説明】
【図１】  有機エレクトロルミネセンス素子の断面図である。
【図２】  有機エレクトロルミネセンス素子の等価回路を示す図である。
【図３】  有機エレクトロルミネセンス素子の駆動電圧−電流−発光輝度特性を概略的に示すグラフである。
【図４】  従来の有機エレクトロルミネセンス素子を用いた表示装置の構成及びこれに適用される０Ｖリセット駆動法を説明するためのブロック図である。
【図５】  従来の有機エレクトロルミネセンス素子を用いた表示装置の構成及びこれに適用される０Ｖリセット駆動法を説明するためのブロック図である。
【図６】  従来の有機エレクトロルミネセンス素子を用いた表示装置の構成及びこれに適用される０Ｖリセット駆動法を説明するためのブロック図である。
【図７】  従来の有機エレクトロルミネセンス素子を用いた表示装置の輝度調整を説明する図である。
【図８】  従来の有機エレクロトルミネッセンス素子を用いた表示装置の輝度調整の問題点を示す図である。
【図９】  有機エレクトロルミネセンス素子を用いた本発明によるディスプレイ装置の構成を説明するためのブロック図である。
【図１０】  図９の有機エレクトロルミネセンス素子を用いたディスプレイ装置の要部を示すブロック図である。
【図１１】  本発明によるディスプレイ装置のリセット駆動法による態様を示すフローチャートである。
【図１２】  本発明によるディスプレイ装置のリセット駆動法による態様を示すタイミングチャートである。
【図１３】  本発明による実施例のディスプレイ装置のリセット駆動法による態様を示すタイミングチャートである。
【図１４】  本発明による他の実施例のディスプレイ装置のリセット駆動法による態様を示すタイミングチャートである。
【符号の説明】
１  陰極線走査回路
５1 〜５n   走査スイッチ
２  陽極線ドライブ回路
２1 〜２m   電流源
６1 〜６m  ドライブスイッチ
３  陽極線リセット回路
７1 〜７m   シャントスイッチ
Ａ1 〜Ａm  陽極線
Ｅ1,1 〜Ｅm,n  有機エレクトロルミネッセンス素子
Ｂ1 〜Ｂn  陰極線
３０  逆バイアス調整回路
３１  加算部
４０  発光制御回路
４１  同期分離回路
４２  タイミングパルス発生回路
４３  Ａ／Ｄ変換器
４４  メモリ
４５  制御回路
４６  出力処理回路
４７  走査タイミング信号発生回路
１２０  容量性発光パネル
【図１】
0003874390.tif 000002
【図２】
0003874390.tif 000003
【図３】
0003874390.tif 000004
【図４】
0003874390.tif 000005
【図５】
0003874390.tif 000006
【図６】
0003874390.tif 000007
【図７】
0003874390.tif 000008
【図８】
0003874390.tif 000009
【図９】
0003874390.tif 000010
【図１０】
0003874390.tif 000011
【図１１】
0003874390.tif 000012
【図１２】
0003874390.tif 000013
【図１３】
0003874390.tif 000014
【図１４】
0003874390.tif 000015